(57)【特許請求の範囲】
【請求項１】
ユーザ機器(UE)において動作可能なワイヤレス通信のための方法であって、
前記UEと基地局との間のパケット交換(PS)接続を確立するステップであって、前記PS接続が、フラクショナル専用物理チャネル(F-DPCH)を含む、ステップと、
前記F-DPCHのための同期のしきい値(Qin)および同期外れのしきい値(Qout)を構成するステップであって、前記QinおよびQoutの値が、専用物理チャネル(DPCH)の対応するQinおよびQoutの値よりも高く設定される、ステップと、
前記F-DPCHの1つまたは複数の送信電力制御(TPC)コマンドに基づいてダウンリンク(DL)信号対干渉比(SIR)を推定するステップと、
前記F-DPCHの前記推定されたSIRとQoutとの比較に基づいて前記PS接続をリリースすべきかどうかを決定するステップと
を含む方法。
【請求項２】
前記PS接続をリリースすべきかどうかを決定するステップが、
所定の時間内に前記基地局から無線リソース制御(RRC)接続リリースメッセージがない場合、前記PS接続をリリースすべきかどうかを決定するステップ
を含む、請求項1に記載の方法。
【請求項３】
前記DL SIR推定値が、所定の時間期間の間、第1のしきい値未満である場合、および
前記UEが、前記所定の時間期間の間、連続的な上に向かうTPCを送る場合、
無線リンク障害を宣言するステップをさらに含む、請求項1に記載の方法。
【請求項４】
前記DL SIR推定値が、所定の時間期間の間、第1のしきい値よりも大きい量だけSIRターゲットよりも小さい場合、および
前記UEが、前記所定の時間期間の間、連続的な上に向かうTPCを送る場合、
無線リンク障害を宣言するステップをさらに含む、請求項1に記載の方法。
【請求項５】
前記DL SIR推定値が、所定の時間期間の間、第1のしきい値未満である場合、
前記UEが、前記所定の時間期間の間、連続的な上に向かうTPCを送る場合、および
前記UEによって拒否されたいくつかのDL TPCコマンドの数が、第2のしきい値よりも大きい場合、
無線リンク障害を宣言するステップをさらに含む、請求項1に記載の方法。
【請求項６】
前記UEによって拒否されたいくつかのDL TPCコマンドの数が、第1のしきい値よりも大きい場合、および
前記DL SIR推定値が、所定の時間期間の間、第1のしきい値未満であるか、または前記所定の時間期間の間、第2のしきい値よりも大きい量だけSIRターゲットよりも小さい場合、
無線リンク障害を宣言するステップをさらに含む、請求項1に記載の方法。
【請求項７】
ワイヤレス通信のための装置であって、
前記装置と基地局との間のパケット交換(PS)接続を確立するための手段であって、前記PS接続が、フラクショナル専用物理チャネル(F-DPCH)を含む、手段と、
前記F-DPCHのための同期のしきい値(Qin)および同期外れのしきい値(Qout)を構成するための手段であって、前記QinおよびQoutの値が、専用物理チャネル(DPCH)の対応するQinおよびQoutの値よりも高く設定される、手段と、
前記F-DPCHの1つまたは複数の送信電力制御(TPC)コマンドに基づいてダウンリンク(DL)信号対干渉比(SIR)を推定するための手段と、
前記F-DPCHの前記推定されたSIRとQoutとの比較に基づいて前記PS接続をリリースすべきかどうかを決定するための手段と
を含む装置。
【請求項８】
前記PS接続をリリースすべきかどうかを決定するための前記手段が、所定の時間内に前記基地局から無線リソース制御(RRC)接続リリースメッセージがない場合、前記PS接続をリリースすべきかどうかを決定するように構成される、請求項7に記載の装置。
【請求項９】
前記PS接続をリリースすべきかどうかを決定するための前記手段が、
前記DL SIR推定値が、所定の時間期間の間、第1のしきい値未満である場合、および
前記装置が、前記所定の時間期間の間、連続的な上に向かうTPCを送る場合、
無線リンク障害を宣言するように構成される、請求項7に記載の装置。
【請求項１０】
前記PS接続をリリースすべきかどうかを決定するための前記手段が、
前記DL SIR推定値が、所定の時間期間の間、第1のしきい値よりも大きい量だけSIRターゲットよりも小さい場合、および
前記装置が、前記所定の時間期間の間、連続的な上に向かうTPCを送る場合、
無線リンク障害を宣言するように構成される、請求項7に記載の装置。
【請求項１１】
前記PS接続をリリースすべきかどうかを決定するための前記手段が、
前記DL SIR推定値が、所定の時間期間の間、第1のしきい値未満である場合、
前記装置が、前記所定の時間期間の間、連続的な上に向かうTPCを送る場合、および
前記装置によって拒否されたいくつかのDL TPCの数が、第2のしきい値よりも大きい場合、
無線リンク障害を宣言するように構成される、請求項7に記載の装置。
【請求項１２】
前記PS接続をリリースすべきかどうかを決定するための前記手段が、
前記装置によって拒否されたいくつかのDL TPCの数が、第1のしきい値よりも大きい場合、および
前記DL SIR推定値が、所定の時間期間の間、第1のしきい値未満であるか、または前記所定の時間期間の間、第2のしきい値よりも大きい量だけSIRターゲットよりも小さい場合、
無線リンク障害を宣言するように構成される、請求項7に記載の装置。
【請求項１３】
請求項1乃至6のいずれか１項に記載の方法を、コンピュータに実行させるように構成されたコードを含むコンピュータ可読記憶媒体。
【発明の詳細な説明】
【技術分野】
【０００１】
関連出願の相互参照
本出願は、2013年9月20日に米国特許商標庁に出願された仮特許出願第61/880,707号、および2014年3月24日に米国特許商標庁に出願された非仮出願第14/223,907号の優先権および利益を主張するものであり、その内容全体は、参照により本明細書に組み込まれる。
【０００２】
本開示の態様は、一般に、ワイヤレス通信システムに関し、より詳細には、W-CDMAネットワークにおける同期外れおよび無線リンク障害を扱うための装置および方法に関する。
【背景技術】
【０００３】
ワイヤレス通信ネットワークは、電話、ビデオ、データ、メッセージング、放送、などのような様々な通信サービスを提供するために広く展開されている。通常複数のアクセスネットワークであるそのようなネットワークは、利用可能なネットワークリソースを共有することによって複数のユーザの通信をサポートする。そのようなネットワークの一例は、UMTS地上波無線アクセスネットワーク(UTRAN)である。UTRANは、第3世代パートナーシッププロジェクト(3GPP)によってサポートされる第3世代(3G)モバイル電話技術である、ユニバーサルモバイルテレコミュニケーションシステム(UMTS)の一部として定義された、無線アクセスネットワーク(RAN)である。グローバルシステムフォーモバイルコミュニケーションズ(GSM(登録商標))技術の承継であるUMTSは、広帯域符号分割多元接続(W-CDMA)、時分割符号分割多元接続(TD-CDMA)、および時分割同期符号分割多元接続(TD-SCDMA)などの様々なエアインターフェース規格を現在サポートしている。UMTSは、関連するUMTSネットワークのデータ転送の速度および容量を向上させる、高速パケットアクセス(HSPA)などの拡張型3Gデータ通信プロトコルもサポートする。
【０００４】
1999年に公開され、Release 99またはR99として一般に知られている3GPP技術仕様書25.221に記載されているものなど、W-CDMAネットワークの初期の世代において、各ユーザ(たとえば、モバイル端末)は、専用物理チャネル(DPCH)を介したネットワーク基地局(UMTSにおけるノードBとして知られる)への別個で独立した通信経路を有する。W-CDMA技術が進化するにつれて、システム操作を向上させ、さらにますます多くのユーザに適応するために、新しい物理チャネルが追加された。たとえば、HSPAネットワークにおいて、複数のユーザの中のダウンリンクチャネライゼーションコードの消費を低減するために、フラクショナル専用物理チャネル(F-DPCH)が追加された。ユーザ機器(UE)のより新しい世代は、一般に、R99 DPCHとF-DPCHの両方における通信をサポートする。しかしながら、これらのチャネル上の通信プロトコル間の多くの差のため、UEにおける様々なチャネルパラメータのいくつかの最適化が望ましい。
【発明の概要】
【課題を解決するための手段】
【０００５】
以下のものは、そのような態様の基本的な理解を与えるために、1つまたは複数の本開示の態様の簡単な概要を示す。この概要は、本開示の予期した全特徴の広い全体像ではなく、本開示の全態様の鍵となる要素または重要な要素を特定する意図も、本開示の任意または全部の態様の範囲を視覚的に示す意図もない。そのただ1つの目的は、後に示されるより詳細な説明の前置きとして簡単な形で本開示の1つまたは複数の態様のいくつかの概念を示すことである。
【０００６】
本開示の態様は、R99 DPCHとF-DPCHの両方をサポートするW-CDMAネットワークにおける同期外れおよび無線リンク障害の処理を向上させることができる、それを動作させるための装置および方法を提供する。
【０００７】
本開示の一態様は、ユーザ機器(UE)において動作可能なワイヤレス通信のための方法を提供する。UEは、UEと基地局との間のパケット交換(PS)接続を確立し、PS接続は、フラクショナル専用物理チャネル(F-DPCH)を含む。UEは、F-DPCHのための同期のしきい値(Qin)および同期外れのしきい値(Qout)を構成し、QinおよびQoutの値は、専用物理チャネル(DPCH)の対応するQinおよびQoutの値よりも高く設定される。UEは、さらに、F-DPCHの1つまたは複数の送信電力制御(TPC)コマンドに基づいてダウンリンク(DL)信号対干渉比(SIR)を推定し、F-DPCHの推定されたSIRとQoutとの比較に基づいてPS接続をリリースすべきかどうかを決定する。
【０００８】
本開示の別の態様は、ワイヤレス通信のための装置を提供する。装置は、装置と基地局との間のパケット交換(PS)接続を確立するための手段を含み、PS接続は、フラクショナル専用物理チャネル(F-DPCH)を含む。装置は、F-DPCHのための同期のしきい値(Qin)および同期外れのしきい値(Qout)を構成するための手段を含み、QinおよびQoutの値は、専用物理チャネル(DPCH)の対応するQinおよびQoutの値よりも高く設定される。装置は、さらに、F-DPCHの1つまたは複数の送信電力制御(TPC)コマンドに基づいてダウンリンク(DL)信号対干渉比(SIR)を推定するための手段と、F-DPCHの推定されたSIRとQoutとの比較に基づいてPS接続をリリースすべきかどうかを決定するための手段とをさらに含む。
【０００９】
本開示の別の態様は、コンピュータ可読記憶媒体を提供する。コンピュータ可読記憶媒体は、ユーザ機器(UE)に様々な機能を実行させるためのコードを含む。UEは、UEと基地局との間のパケット交換(PS)接続を確立し、PS接続は、フラクショナル専用物理チャネル(F-DPCH)を含む。UEは、F-DPCHのための同期のしきい値(Qin)および同期外れのしきい値(Qout)を構成し、QinおよびQoutの値は、専用物理チャネル(DPCH)の対応するQinおよびQoutの値よりも高く設定される。UEは、さらに、F-DPCHの1つまたは複数の送信電力制御(TPC)コマンドに基づいてダウンリンク(DL)信号対干渉比(SIR)を推定し、F-DPCHの推定されたSIRとQoutとの比較に基づいてPS接続をリリースすべきかどうかを決定する。
【００１０】
本開示の別の態様は、ワイヤレス通信のための装置を提供する。装置は、少なくとも1つのプロセッサと、少なくとも1つのプロセッサに結合された通信インターフェースと、少なくとも1つのプロセッサに結合されたメモリとを含む。少なくとも1つのプロセッサは、第1〜第4の構成要素を含むいくつかの構成要素を含む。第1の構成要素は、装置と基地局との間のパケット交換(PS)接続を確立するように構成され、PS接続は、フラクショナル専用物理チャネル(F-DPCH)を含む。第2の構成要素は、F-DPCHのための同期のしきい値(Qin)および同期外れのしきい値(Qout)を構成するように構成され、QinおよびQoutの値は、専用物理チャネル(DPCH)の対応するQinおよびQoutの値よりも高く設定される。第3の構成要素は、F-DPCHの1つまたは複数の送信電力制御(TPC)コマンドに基づいてダウンリンク(DL)信号対干渉比(SIR)を推定するように構成される。第4の構成要素は、F-DPCHの推定されたSIRとQoutとの比較に基づいてPS接続をリリースすべきかどうかを決定するように構成される。
【００１１】
本発明のこれらの態様および他の態様は、以下の詳細な説明を検討すれば、より完全に理解されるであろう。添付図面とともに本発明の特定の例示的実施形態の以下の説明をよく見ると、本発明の他の態様、特徴、および実施形態が当業者に明らかになろう。本発明の特徴は、以下のいくつかの実施形態および図面に対して論じられ得るが、本発明のすべての実施形態は、本明細書で論じられる有利な特徴のうちの1つまたは複数を含み得る。言い換えれば、1つまたは複数の実施形態は、いくつかの有利な特徴を有するものとして論じられ得るが、そのような特徴のうちの1つまたは複数はまた、本明細書で論じられる本発明の様々な実施形態に従って使用され得る。同様に、例示的な実施形態はデバイスの実施形態、システムの実施形態、または方法の実施形態として以下で論じられ得るが、そのような例示的な実施形態は様々なデバイス、システム、および方法において実施され得ることを理解されたい。
【図面の簡単な説明】
【００１２】
【図１】電気通信システムの一例を概念的に示すブロック図である。
【図２】本開示の一態様による、アクセスネットワークの一例を示す概念図である。
【図３】DPCHスロットにおけるDPCHおよびフラクショナルDPCHを示す概念図である。
【図４】ユーザプレーンおよび制御プレーンの無線プロトコルアーキテクチャの一例を示す概念図である。
【図５】本開示の一態様による、W-CDMAネットワークにおいてR99 DPCHおよびF-DPCH呼を正常にリリースするように構成されるユーザ機器(UE)の概念ブロック図である。
【図６】本開示の一態様による処理システムを用いる装置のためのハードウェア実装の一例を示すブロック図である。
【図７】電気通信システムにおいてUEと通信しているノードBの一例を概念的に示すブロック図である。
【図８】本開示の一態様による、W-CDMAネットワーク内のUEにおいてR99 DPCHおよびF-DPCH呼を正常にリリースするための手順を示すフローチャートである。
【図９】本開示の一態様による、W-CDMAネットワーク内のUEにおいて無線リンク障害を宣言するための手順を示すフローチャートである。
【図１０】本開示の別の態様による、W-CDMAネットワーク内のUEにおいて無線リンク障害を宣言するための手順を示すフローチャートである。
【図１１】本開示の別の態様による、W-CDMAネットワーク内のUEにおいて無線リンク障害を宣言するための手順を示すフローチャートである。
【図１２】本開示の別の態様による、W-CDMAネットワーク内のUEにおいて無線リンク障害を宣言するための手順を示すフローチャートである。
【発明を実施するための形態】
【００１３】
本開示の態様は、R99 DPCHとF-DPCHの両方をサポートするW-CDMAネットワークにおける同期外れおよび無線リンク障害の処理を向上させることができる、それを動作させるための装置および方法を提供する。添付の図面に関して以下に記載される詳細な説明は、様々な構成の説明として意図されており、本明細書で説明される概念が実施され得る唯一の構成を表すことを意図されていない。詳細な説明は、様々な概念の完全な理解を与えるために特定の詳細を含む。しかしながら、これらの概念がこれらの特定の詳細がなくても実施することができることは当業者に明らかであろう。いくつかの例では、そのような概念を曖昧にするのを防ぐために、よく知られた構造および構成要素がブロック図の形態において示されている。
【００１４】
本開示全体にわたって提示されている様々な概念は、幅広い種類の遠隔通信システム、ネットワークアーキテクチャ、および通信規格にわたって実施され得る。ここで図1を参照すると、限定ではなく例示的な例として、ユニバーサルモバイルテレコミュニケーションシステム(UMTS)システム100に関して、本開示の様々な態様が示されている。UMTSネットワークは、コアネットワーク104、無線アクセスネットワーク(RAN)(たとえば、UMTS地上波無線アクセスネットワーク(UTRAN)102)、およびユーザ機器(UE)110という3つの相互作用ドメインを含む。UTRAN102に利用可能ないくつかの選択肢の間で、この例では、図示したUTRAN102は、電話、ビデオ、データ、メッセージング、ブロードキャスト、および/または他のサービスを含む様々なワイヤレスサービスを可能にするためのW-CDMAエアインターフェースを用いることができる。UTRAN102は、無線ネットワークコントローラ(RNC)106などのそれぞれのRNCによって各々が制御される、無線ネットワークサブシステム(RNS)107などの複数のRNSを含み得る。ここで、UTRAN102は、図示されたRNC106およびRNS107に加えて、任意の数のRNC106およびRNS107を含み得る。RNC106は、数ある中でも、RNS107内の無線リソースの割り当て、再構成、および解放の責任を負っている装置である。RNC106は、任意の適切な転送ネットワークを用いて、直接物理接続、仮想ネットワーク等などの様々なタイプのインターフェースを通じてUTRAN102における他のRNC(図示せず)に相互接続することができる。
【００１５】
RNS107によってカバーされる地理的領域は、いくつかのセルに分割され得、無線トランシーバ装置が各セルにサービスする。無線トランシーバ装置は、通常、UMTS用途ではノードBと呼ばれるが、当業者によって、基地局(BS)、トランシーバ基地局(BTS)、無線基地局、無線トランシーバ、トランシーバ機能、基本サービスセット(BSS)、拡張サービスセット(ESS)、アクセスポイント(AP)、または何らかの他の適切な用語で呼ばれる場合もある。明確にするために3つのノードB108は、各RNS107に示されているが、RNS107は、任意の数のワイヤレスノードBを含むことができる。ノードB108は、任意の数のモバイル装置のためのコアネットワーク104にワイヤレスアクセスポイントを提供する。モバイル装置の例は、セルラー電話、スマートフォン、セッション開始プロトコル(SIP)電話、ラップトップ、ノートブック、ネットブック、スマートブック、携帯情報端末(PDA)、衛星ラジオ、全地球測位システム(GPS)デバイス、マルチメディアデバイス、ビデオデバイス、デジタルオーディオプレーヤ(たとえば、MP3プレーヤ)、カメラ、ゲームコンソール、または任意の他の同様の機能デバイスを含む。モバイル装置は、通常、UMTS用途ではユーザ機器(UE)と呼ばれるが、当業者によって、移動局(MS)、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末(AT)、モバイル端末、ワイヤレス端末、リモート端末、ハンドセット、端末、ユーザエージェント、モバイルクライアント、クライアント、または何らかの他の適切な用語で呼ばれる場合もある。UMTSシステムでは、UE110は、ネットワークへのユーザの加入情報を含む汎用加入者識別モジュール(USIM)111をさらに含み得る。説明のために、1つのUE110がいくつかのノードB108と通信しているように示されている。順方向リンクとも呼ばれるダウンリンク(DL)は、ノードB108からUE110への通信リンクを指し、逆方向リンクとも呼ばれるアップリンク(UL)は、UE110からノードB108への通信リンクを指す。
【００１６】
コアネットワーク104は、UTRAN102などの1つまたは複数のアクセスネットワークとインターフェースすることができる。図示のように、コアネットワーク104はUMTSコアネットワークである。しかしながら、当業者が認識するであろうように、本開示全体にわたって提示されている様々な概念は、UMTSネットワーク以外のタイプのコアネットワークへのアクセスをUEに提供するために、RAN、または他の適切なアクセスネットワークにおいて実施され得る。
【００１７】
図示したUMTSコアネットワーク104は、回線交換(CS)ドメインおよびパケット交換(PS)ドメインを含む。回線交換要素のいくつかは、モバイルサービス交換センタ(MSC)、ビジターロケーションレジスタ(VLR)、およびゲートウェイMSC(GMSC)である。パケット交換要素は、サービングGPRSサポートノード(SGSN)と、ゲートウェイGPRSサポートノード(GGSN)とを含む。EIR、HLR、VLR、およびAuCのようないくつかのネットワーク要素は、回線交換ドメインとパケット交換ドメインとの両方によって共有され得る。
【００１８】
示した例において、コアネットワーク104は、MSC112およびGMSC114との回線交換サービスをサポートする。いくつかの応用において、GMSC114は、メディアゲートウェイ(MGW)と呼ばれ得る。RNC106などの1つまたは複数のRNCは、MSC112に接続され得る。MSC112は、呼設定、呼ルーティング、およびUE移動性機能を制御する装置である。MSC112は、UEがMSC112のカバレージエリアにある期間の間に加入者関連情報を含むビジタロケーションレジスタ(VLR)も含む。GMSC114は、UEが回線交換ネットワーク116にアクセスするためにMSC112を介してゲートウェイを実現する。GMSC114は、特定のユーザが加入したサービスの詳細を反映するデータなどの加入者データを収容する、ホームロケーションレジスタ(HLR)115を含む。HLRは、加入者固有の認証データを収容する認証センタ(AuC)にも関連する。特定のUEについて、呼が受信されると、GMSC114は、UEの位置を判断するためにHLR115に問い合わせ、その位置でサービスする特定のMSCに呼を転送する。
【００１９】
図示したコアネットワーク104は、サービングGPRSサポートノード(SGSN)118およびゲートウェイGPRSサポートノード(GGSN)120を有するパケット交換データサービスもサポートする。汎用パケット無線サービス(GPRS)は、標準の回線交換データサービスで利用可能な速度よりも速い速度でパケットデータサービスを提供するように設計されている。GGSN120は、UTRAN102とパケットベースのネットワーク122の接続を行う。パケットベースのネットワーク122は、インターネット、プライベートデータネットワーク、またはいくつかの他の適切なパケットベースのネットワークであり得る。GGSN120の主要機能は、UE110にパケットベースのネットワーク接続性を与えることである。データパケットは、SGSN118を介してGGSN120とUE110との間で転送され得、SGSN118は、MSC112が回線交換ドメインにおいて実行するのと主に同じ機能をパケットベースドメインにおいて実行する。
【００２０】
UTRAN102は、本開示に従って利用され得るRANの一例である。図2を参照すると、限定ではなく例として、UTRANアーキテクチャにおけるRAN200の簡略化された概略図が示されている。このシステムは、セル202、204、および206を備えた複数のセルラー領域(セル)を含み、その各々は、1つまたは複数のセクタを含み得る。セルは、(たとえば、カバレージエリアによって)地理的に定義することができ、および/または周波数、スクランブリングコードなどに従って定義することができる。すなわち、図示された地理的に定義されたセル202、204、および206は各々、たとえば、異なるスクランブリングコードを利用することによって、複数のセルにさらに分割され得る。たとえば、セル204aは、第1のスクランブリングコードを利用し得、セル204bは、同じ地理的領域にあり同じノードB244によってサービスされる間、第2のスクランブリングコードを利用することによって区別され得る。
【００２１】
セクタに分割されているセルにおいて、セル内の複数のセクタは、各アンテナがセルの一部におけるUEとの通信の責任を負っている複数のアンテナからなる群によって形成され得る。たとえば、セル202では、アンテナグループ212、214、および216は各々、異なるセクタに対応することができる。セル204では、アンテナグループ218、220、および222は各々、異なるセクタに対応することができる。セル206では、アンテナグループ224、226、および228は各々、異なるセクタに対応することができる。
【００２２】
セル202、204、および206は、各セル202、204、または206の1つまたは複数のセクタと通信中であり得る、いくつかのUEを含み得る。たとえば、UE230および232は、ノードB242と通信することができ、UE234、および236は、ノードB244と通信することができ、UE238および240は、ノードB246と通信することができる。ここで、各ノードB242、244、および246は、それぞれのセル202、204、および206におけるUE230、232、234、236、238、および240の全部にコアネットワーク204への(図2参照)アクセスポイントを与えるように構成され得る。
【００２３】
ソースセルとの呼の間、または任意の他の時間に、UE236は、ソースセルの様々なパラメータならびに近隣セルの様々なパラメータを監視することができる。さらに、これらのパラメータの品質に応じて、UE236は、近隣セルのうちの1つまたは複数との通信を維持することができる。この時間の間、UE236は、アクティブセット、すなわちUE236が同時に接続されるセルのリストを維持することができる(すなわち、ダウンリンク専用物理チャネル(DPCH)または部分ダウンリンク専用物理チャネル(F-DPCH)をUE236に現在割り当てているUTRANセルは、アクティブセットを構成することができる)。図3は、同じDPCHスロットにおける異なるUEに割り当てられる複数のF-DPCHを示す概念図である。異なるタイミングオフセットを使用するとき、F-DPCH300の使用によって、異なるユーザの送信電力制御(TPC)コマンドストリームを同じチャネライゼーションコード上に時間多重化できるようになる。
【００２４】
UTRANエアインターフェースは、W-CDMA規格を利用するシステムなどの、スペクトル拡散直接シーケンス符号分割多元接続(DS-CDMA)システムであり得る。スペクトラム拡散DS-CDMAは、チップと呼ばれる擬似ランダムビットのシーケンスとの乗算を介してユーザデータを拡散する。UTRAN102のW-CDMAエアインターフェースは、そのようなDS-CDMA技術に基づいており、さらに周波数分割複信(FDD)を必要とする。FDDは、ノードB108とUE110との間のアップリンク(UL)およびダウンリンク(DL)に異なるキャリア周波数を使用する。DS-CDMAを利用するとともに時分割複信(TDD)を使用するUMTSのための別のエアインターフェースは、TD-SCDMAエアインターフェースである。本明細書で説明する様々な例はW-CDMAエアインターフェースを指す場合があるが、基礎をなす原理は、TD-SCDMAエアインターフェースまたは任意の他の適切なエアインターフェースに等しく適用可能であることを当業者は認識されよう。
【００２５】
高速パケットアクセス(HSPA)エアインターフェースは、ユーザのためにスループットの向上および遅延の低減を容易にする、UE110とUTRAN102との間の3G/W-CDMAエアインターフェースに対する一連の拡張を含む。前の規格に対する他の修正の中でも、HSPAは、ハイブリッド自動再送要求(HARQ)、共有チャネル送信、および適応変調符号化を利用する。HSPAを定義する規格は、HSDPA(高速ダウンリンクパケットアクセス)およびHSUPA(拡張アップリンクまたはEULとも呼ばれる高速アップリンクパケットアクセス)を含む。
【００２６】
たとえば、3GPP規格ファミリーのリリース5では、HSDPAが導入された。HSDPAは、いくつかのUEによって共有され得る高速ダウンリンク共有チャネル(HS-DSCH)を、そのトランスポートチャネルとして利用する。HS-DSCHは、高速物理ダウンリンク共有チャネル(HS-PDSCH)、高速共有制御チャネル(HS-SCCH)、および高速専用物理制御チャネル(HS-DPCCH)という、3つの物理チャネルによって実装される。
【００２７】
HS-SCCHは、HS-DSCHの送信に関連するダウンリンク制御情報を搬送するために利用され得る、物理チャネルである。ここで、HS-DSCHは、1つまたは複数のHS-SCCHに関連付けられ得る。UEは、いつHS-DSCHからそのデータを読み取るべきかを決定するため、および、割り当てられる物理チャネルにおいて使用される変調方式を決定するために、HS-SCCHを継続的に監視し得る。
【００２８】
HS-PDSCHは、いくつかのUEによって共有され得、かつ高速ダウンリンクに対するダウンリンクデータを搬送し得る、物理チャネルである。HS-PDSCHは、4位相シフトキーイング(QPSK)、16-直交振幅変調(16-QAM)、およびマルチコード送信をサポートし得る。
【００２９】
HS-DPCCHは、そのスケジューリングアルゴリズムにおいてノードBを支援するためにUEからのフィードバックを搬送し得る、アップリンク物理チャネルである。フィードバックは、チャネル品質インジケータ(CQI)と、前のHS-DSCH送信の肯定応答または否定応答(ACK/NAK)とを含み得る。
【００３０】
リリース5のHSDPAと、以前に規格化された回線交換エアインターフェースとの間の、ダウンリンク上の1つの差異は、HSDPAにはソフトハンドオーバがないことである。このことは、HSDPAチャネルが、HSDPAサービングセルと呼ばれる単一のセルからUEに送信されることを意味する。ユーザが移動するにつれて、またはあるセルが別のセルよりも好ましくなるにつれて、HSDPAサービングセルは変わる可能性がある。それでも、UEは、関連するDPCH上でソフトハンドオーバの状態にある場合があり、複数のセルから同じ情報を受信する。
【００３１】
リリース5のHSDPAでは、任意の瞬間において、UEは1つのサービングセルを有し、Ec/I0のUE測定によれば、そのサービングセルがアクティブセット中で最強のセルである。3GPP技術仕様書(TS)25.331のリリース5で定義されたモビリティ手順によれば、HSPDAサービングセルを変更するための無線リソース制御(RRC)シグナリングメッセージは、より強いセルであるとしてUEが報告するセル(すなわち、ターゲットセル)ではなく、現在のHSDPAサービングセル(すなわち、ソースセル)から送信される。
【００３２】
3GPPのリリース6の規格は、拡張アップリンク(EUL)または高速アップリンクパケットアクセス(HSUPA)と呼ばれる、アップリンクの拡張を導入した。HSUPAは、EUL専用チャネル(E-DCH)をトランスポートチャネルとして利用する。E-DCHは、リリース99のDCHとともに、アップリンクで送信される。DCHの制御部分、すなわちDPCCHは、パイロットビットおよびダウンリンク電力制御命令をアップリンク送信で搬送する。本開示では、DPCCHは、チャネルの制御の側面に言及がなされているか、またはパイロットの側面に言及がなされているかに従って、制御チャネル(たとえば一次制御チャネル)またはパイロットチャネル(たとえば一次パイロットチャネル)と呼ばれ得る。
【００３３】
E-DCHは、E-DCH専用物理データチャネル(E-DPDCH)およびE-DCH専用物理制御チャネル(E-DPCCH)を含む物理チャネルによって実装される。加えて、HSUPAは、E-DCH HARQインジケータチャネル(E-HICH)、E-DCH絶対許可チャネル(E-AGCH)、およびE-DCH相対許可チャネル(E-RGCH)を含む、追加の物理チャネルを利用する。
【００３４】
ワイヤレス電気通信システムでは、通信プロトコルアーキテクチャは、特定の適用例に応じて様々な形態をとり得る。たとえば、3GPPのUMTSシステムでは、シグナリングプロトコルスタックは、非アクセス層(NAS)およびアクセス層(AS)に分割される。NASは、UE110とコアネットワーク104との間のシグナリングのために上位レイヤを与え(図1参照)、回線交換プロトコルおよびパケット交換プロトコルを含むことができる。ASは、UTRAN102とUE110との間のシグナリングのために低いレイヤを与え、ユーザプレーンおよび制御プレーンを備えることができる。ここで、ユーザプレーンまたはデータプレーンは、ユーザトラフィックを運び、一方、制御プレーンは、制御情報(すなわち、シグナリング)を運ぶ。
【００３５】
図4を参照すると、ASは、3つのレイヤ、すなわち、レイヤ1、レイヤ2、およびレイヤ3とともに示されている。レイヤ1は、最も低いレイヤであり、様々な物理レイヤ信号処理機能を実施する。レイヤ1は、本明細書において物理レイヤ406と呼ばれる。レイヤ2 408と呼ばれるデータリンクレイヤが物理レイヤ406の上にあり、物理レイヤ406にわたってUE210とノードB208との間のリンクの責任を負っている。
【００３６】
レイヤ3において、RRCレイヤ416は、UE210とノードB208との間の制御プレーンのシグナリングを処理する。RRCレイヤ416は、上位レイヤメッセージのルーティング、ブロードキャスト機能およびページング機能の処理、無線ベアラの確立および構成などのための、いくつかの機能エンティティを含む。
【００３７】
例示したエアインターフェースにおいて、L2レイヤ408は、サブレイヤに分けられる。制御プレーンでは、L2レイヤ408は、2つのサブレイヤ、すなわち、媒体アクセス制御(MAC)サブレイヤ410および無線リンク制御(RLC)サブレイヤ412を含む。ユーザプレーンでは、L2レイヤ408は、パケットデータコンバージェンスプロトコル(PDCP)サブレイヤ414をさらに含む。図示されていないが、UEは、ネットワーク側のPDNゲートウェイで終端するネットワークレイヤ(たとえば、IPレイヤ)、および接続の他端(たとえば、遠端のUE、サーバなど)で終端するアプリケーションレイヤを含む、L2レイヤ408の上のいくつかの上位レイヤを有する場合がある。
【００３８】
PDCPサブレイヤ414は、異なる無線ベアラと論理チャネルとの間で多重化を行う。PDCPサブレイヤ414はまた、無線送信のオーバーヘッドを低減するための上位レイヤデータパケットのヘッダ圧縮、データパケットの暗号化によるセキュリティ、および、ノードB間のUEのハンドオーバのサポートを実現する。
【００３９】
RLCサブレイヤ412は、一般に、(確認応答および再送信プロセスが誤り訂正に使用され得る)確認応答モード(AM)、非確認応答モード(UM)、およびデータ転送のためのトランスペアレントモードをサポートし、上位レイヤのデータパケットのセグメント化および再アセンブリならびにデータパケットの並べ替えを行って、MACレイヤにおけるハイブリッド自動再送要求(HARQ)による順が狂った受信を補償する。確認応答モードでは、RNCおよびUEなどのRLCピアエンティティは、とりわけ、RLCデータPDU、RLCステータスPDU、およびRLCリセットPDUを含む、様々なRLCプロトコルデータユニット(PDU)を交換することができる。本開示では、「パケット」という用語は、RLCピアエンティティ間で交換される任意のRLC PDUを指す場合がある。
【００４０】
MACサブレイヤ410は、論理チャネルと輸送チャネルとの間の多重化を行う。MACサブレイヤ410は、UE間の1つのセルにおいて様々な無線リソース(たとえば、リソースブロック)を割り当てることの責任も負っている。MACサブレイヤ410は、HARQ動作の責任も負っている。MACサブレイヤ410は、限定はされないが、MAC-dエンティティおよびMAC-hs/ehsエンティティを含む、様々なMACエンティティを含む。無線ネットワークコントローラ(RNC:Radio Network Controller)は、MAC-dおよび上記からのプロトコルレイヤを収容する。高速チャネルについて、MAC-hs/ehsレイヤがノードBに収容される。
【００４１】
通常の呼処理の一部として、ノードBは、RRC接続リリースメッセージ(たとえば、図2のメッセージ240)をUEに送ることによって、W-CDMAパケット交換(PS)呼または接続をリリースすることができる。本開示の一態様では、UEおよびノードBは、それぞれ図1のUE110およびノードB108とすることができる。ときとして、UEは、HARQレベル再送信サブブロック誤り率(SBLER)のため、または他のネットワーク問題のため、RRC接続リリースメッセージを逃すことがある。RRC接続リリースメッセージが送られた後の数秒内に、ネットワークは、(たとえば、無線アクセスベアラ(RAB)接続をサポートするための容量リソースなど)チャネル要素の呼のクリアランスの一部として、UEに割り当てられるすべての専用のリソースを取り下げることがある。その結果、関連のDPCHまたはEULリソースは、UEにはもはや利用できない。これ以降、UEは、それ自体の呼リソースをリリースするために、UEの同期外れ(OOS)状態および無線リンク(RL)障害状態を決定するために使用される、信号対干渉比推定(Signal-to-Interference Ratio Estimate)(SIRE)測定値のような信号品質を決定するために、F-DPCHに依存する。
【００４２】
ノードBからの電力制御コマンドに関して、DL DPCCHの品質またはサービングHS-DSCHセルから受信されたF-DPCHフレームのTPCフィールドの品質が、所定の期間(たとえば、3GPP TS 25.101において定義されるように160ms)の間、OOSしきい値Qoutよりも悪い場合、UEは、同期外れ(同期していない)と考えられる。DL DPCCHまたは所定の期間にわたるサービングHS-DSCHセルから受信されるF-DPCHフレームのTPCフィールドの品質が同期のしきい値Qin(より詳細には3GPP TS 25.101参照)よりも良い場合、UEは、同期している(同期)と考えられる。
【００４３】
一般に、それがノードBとの切断につながる干渉および/または不十分な信号強度を経験すると、UE側での無線リンク障害が生じる。たとえば、それは、(たとえば、ボイス呼の場合)呼ドロップと呼ばれ得、無線チャネル強度は、アプリケーションを続行するには弱すぎる。本開示の態様では、ノードBからの信号品質が所定の数の連続的な機会または指示の間にあるしきい値(OOSしきい値)を下回るとき、UEは、無線リンク障害を宣言する。たとえば、UMTSシステムにおいて、ある数値N313の同期外れ(たとえば、連続的なOOS)が示された後(N313はその値が数値であるパラメータのラベル)、ある数値T313の時間期間が期限切れになる前に、ある数値N315未満の連続する同期が示される場合(N313の連続的な同期外れが示されたときから、数値T313に向かうカウントが始まる)、無線リンク障害が生じる。T313のためのタイマーが期限切れになると、無線リンク障害が生じる。
【００４４】
F-DPCHでは、同期外れ状態のためのTPC SIRしきい値(Qout)ならびに同期状態のためのTPC SIRしきい値(Qin)は、いくつかのUE上のR99 DPCHの場合と同じ低い値に設定され得る。たとえば、R99 DPCHとF-DPCHの両方について、QinおよびQoutは、それぞれ-3dBおよび-6.50dBに設定され得る。しかしながら、すべての専用リソースがネットワークによって取り除かれた場合であっても、UEにおいて決定されたSIREは、そのような低いQout値(たとえば、-6.50dB)に達することができないことが多い。その結果、UEは、たとえば、1分より多いなど、望ましくなく長い時間の間、「ダングリング(dangling)」呼状態にとどまり得、このことは、次の呼のために重要なパケット交換(PS)アクティブ化遅延を引き起こす可能性がある。
【００４５】
さらに、F-DPCH SIR推定は、いくつかの制限を有する。1つの制限は、F-DPCHにおいて、UEがSIR測定のためにDL TPCシンボルに依存するということである。これらのTPCシンボルは、確率的またはランダムな方法で、上または下のいずれかである。したがって、UEは、F-DPCH SIR推定(SIRE)のために生のDL TPCシンボルのフィルタ処理された絶対値を使用する。これは、UEが、呼の始めに提供されるスロットフォーマットに基づいて、UEにとってすでに既知であるパターンを有する専用パイロットシンボルに基づいてSIRを測定する、R99 DPCHベースのSIR推定とは異なる。したがって、R99 DPCHにおいて、SIRは、フィルタ処理済みの非パターン化された専用パイロットに基づいて推定される。さらに、F-DPCHは、一般に、量子化効果および他の雑音の包含のため雑音が多い。一般に知られている数学的導出によれば、F-DPCH SIREは、良好な信号対雑音比(SNR)の状態の下で動作するとき、最尤度(ML)推定に近い。しかしながら、不十分な無線周波数(RF)の状態では、推定は、もはや十分に正確ではない可能性がある。このことは、次の例で示すことができる。yはF-DPCHのTPCシンボルの受信されたフィルタ処理済みの振幅であり、sおよびηはそれぞれ、TPCシンボルの真の振幅および雑音効果であり、σ2は雑音分散であるとする。
|y| = |s + η|
E{|y|2} = E{|s|2} + σ2
【００４６】
ここで、受信されたTPCシンボルの期待値は、雑音分散による真のTPCシンボルの期待値とは異なる。したがって、不正確なTPC SIREのためにF-DPCH呼において経験される過剰な電力(バイアス)を補正することが望ましい。別のF-DPCH関連の制限もある。HSPAでは、UEは、巡回冗長検査(CRC)の障害に基づいてOOSを宣言することができる。しかしながら、F-DPCH呼では、HS-PDSCHにおいてすべてのシグナリングトラフィックが現れ、UEは、呼の保守においてOOSを宣言するためにCRCベースのプロビジョニングを有することができない。したがって、F-DPCH呼のためのQoutの値は、この制限を考慮に入れる必要がある。
【００４７】
本開示の様々な態様によれば、UEは、DPCHおよびF-DPCHの呼を扱うために、1つまたは複数の正常な呼リリース方式を実施し、これについては、以下で十分に説明する。本開示の一態様では、UEは、R99 DPCHの対応するしきい値よりも数dB高くなるように、F-DPCHのQinおよびQoutの値を構成することができる。QinおよびQoutの適切な値は、シミュレーションまたは実際のネットワーク測定値に基づいて決定され得る。F-DPCHおよびR99 DPCHのためのQinおよびQoutの値の差は、F-DPCHにおけるSIR推定機構の制限によってもたらされる量子化および他の雑音バイアスを補償するのに役立つ。この機構によって、UEは、ネットワークによってすでに終了した呼を正常にリリースすることができる。
【００４８】
本開示の別の態様では、UEは、呼をリリースするために、別のラップアップイベント(wrap up event)(たとえば、安全条項)を使用することができる。たとえば、UEは、以下の2つの状態、(1)t時間量の間、絶対DL SIREがxdB未満である(または、SIREが、ある量(たとえばydB)以上、SIRターゲット(SIRT)に遅れる)場合、および(2)UL TPCコマンドが、ワインドアップ状況(すなわち、UEがノードBにすべての上に向かうTPCコマンドを送る)が全持続時間tの間持続するようなものである場合が満たされる場合、自動的または自律的に、無線リンク障害を宣言し、呼リソースをリリースすることができる。本開示の一態様では、絶対DL SIREが約10秒間、約6dB未満である(または、SIREが、約6dB以上SIRTに遅れる)とき、UEは、自動的または自律的に、無線リンク障害を宣言し、呼リソースをリリースすることができる。
【００４９】
上記のF-DPCH呼処理ソリューションを実施する際、いくつかの問題点が考慮に入れられる。UEがF-DPCH SIR推定誤差を補償することを望む場合、副作用があり得る。第1に、停止ベースのF-DPCHアウターループ電力制御への望ましくない影響があり得る。第2に、Qoutがあまりに増加する場合、呼ドロップ率が増加する可能性がある。したがって、本開示のいくつかの態様では、UEは、「ダングリング」呼状態を回避するためのSIR推定誤差の雑音補償と、時としてUEが享受することができる、過剰な無線リンク障害の宣言を低減するためのPDSCH電力の恩恵との間の妥協として、ラップアップイベントを利用する。
【００５０】
本開示のまた別の態様では、UEは、DL TPC拒否状態(3)をゲーティングする(たとえば、論理積を求める)ことによって、上記の呼リリース機構で状態(2)を局所化し得る。本開示の一態様では、DL TPCコマンドのz%(たとえば、約90%)が拒否される場合、状態(2)が生じ得る。この状態(3)は、F-DPCH、UL Tx電力の影響など、電力制御収束速度差を考慮に入れるために使用され得る。したがって、状態(3)では、DPCHの値よりも高いF-DPCH Qout値が選択され得、F-DPCHでの増加したQout値のために望ましくない頻繁な呼ドロップが回避され得る。
【００５１】
本開示のまた別の態様では、DL TPC拒否の数がz%(たとえば、約90%)よりも大きく、上述したように、SIREが、(シミュレーションまたは実際のネットワーク測定値に基づいて決定され得る)あるしきい値だけSIRT(未満)に遅れる、または、SIREが、tの時間量(たとえば、約10秒)の間、xdB(たとえば、約6dB)の絶対値を割り込む場合、UEは無線リンク障害を宣言することができる。本開示の一態様では、t値は、無線リンク障害に関連した3GPP TS 25.331、セクション8.3.1.13および8.3.1.13において定義されている、値T314およびT315よりも大きくてもよい。
【００５２】
上記した呼リリース機構の様々な組合せは、特定のシステムおよびネットワーク要件に応じてUEによって使用され得る。
【００５３】
図5は、本開示の一態様による、W-CDMAネットワークにおいてR99 DPCHおよびF-DPCH呼リリースを正常に扱うように構成されるUE500の概念ブロック図である。UE500は、図1、図2、および図7に示されるUEのいずれかでもよい。UE500は、R99 DPCHおよびF-DPCHの呼をサポートする呼プロセッサ502を含む。呼プロセッサ502は、ソフトウェア、ハードウェア、ファームウェアまたはそれらの組合せを使用して実施され得る。たとえば、本開示の一態様では、呼プロセッサ502を実施するためのソフトウェア503は、UEのハードウェアプロセッサによって記憶され、実行され得る。呼プロセッサ502は、呼確立器504、チャネルパラメータ構成器506、SIR推定器508、および呼リリース決定器510を含む。本開示の一態様では、呼確立器504は、ノードBとのR99 DPCH呼、および/またはF-DPCH呼を確立するための手順および機能を実施することができる(たとえば、R99 DPCH呼確立については3GPP TS 25.221(リリース1999)、およびF-DPCH呼確立については3GPP TS 25.221(リリース6)参照)。
【００５４】
本開示の一態様では、呼プロセッサ502のチャネルパラメータ構成器506は、R99 DPCHおよびF-DPCH呼または接続の様々な呼パラメータを構成し得る。一例では、チャネルパラメータ構成器506は、R99 DPCHでのそれぞれの値よりも数デシベル(dB)高くなるように、F-DPCHのQinおよびQoutの値を構成することができる。本開示の一態様では、チャネルパラメータ構成器506は、R99 DPCHのQinおよびQout値を、それぞれ-3dBおよび-6.50dBになるように設定し、F-DPCHのQinおよびQout値を、それぞれ-1dBおよび-4.50dBになるように設定することができる。これらの値は、例にすぎず、シミュレーション、実際のネットワーク測定値、または様々なシステム要件に基づいて異なるシステム実装において変わり得る。
【００５５】
本開示の一態様では、SIR推定器508は、R99 DPCHおよびF-DPCHのDL SIRを推定することができる。たとえば、R99 DPCHのSIREは、ノードBから受信されるDL専用パイロットシンボル(たとえば、図3のパイロット302)に基づいて決定され得る。F-DPCHのSIREは、ノードBから受信されるDL TPCシンボル(たとえば、図3のTPC304)に基づいて決定され得る。本開示の他の態様では、異なる方法は、R99 DPCHおよびF-DPCHのためのSIRを推定するために使用され得る。
【００５６】
本開示の別の態様では、呼プロセッサ502の呼リリース決定器510は、R99 DPCHおよび/またはF-DPCH呼をリリースすべきときを決定するように構成され得る。本開示の一態様では、SIR推定器508によって決定されたSIREが、チャネルパラメータ構成器506によって設定されたそれぞれのR99 DPCHおよびF-DPCHのQout値未満になるとき、呼リリース決定器510は、OOSを宣言し、R99 DPCHまたはF-DPCH呼をリリースすることができる。本開示の一態様では、呼リリース決定器510は、所定の時間内にノードBまたは基地局からRRC接続リリースメッセージがない場合、R99 DPCHもしくはF-DPCH呼またはパケット交換接続をリリースすることができる。一例では、所定の時間は、約15秒としてよい。
【００５７】
本開示の別の態様では、呼プロセッサ502の呼リリース決定器510は、R99 DPCHおよびF-DPCH呼をリリースするために上述したようにラップアップイベント(たとえば、安全条項)を使用することができる。たとえば、呼リリース決定器510は、以下の2つの状態、(1)t時間量の間(たとえば、約10秒)、絶対DL SIREがxdB(たとえば、約6dB)未満である(または、SIREが、ある量(たとえばydB以上、約6dB)、SIRT(未満)ターゲット(SIRT)に遅れる)場合、および(2)UL TPCコマンドが、ワインドアップ状況(すなわち、UEがノードBにすべての上に向かうTPCコマンドを送る)が全持続時間tの間持続するようなものである場合が満たされる場合、無線リンク障害を宣言し、呼リソースをリリースすることができる。
【００５８】
本開示のまた別の態様では、上述したように、TPC拒否値がz%よりも大きく見え、SIREがあるしきい値(シミュレーションまたは実際のネットワーク測定値に基づいて決定され得る)だけSIRTに遅れる、またはSIREが、tの時間量の間、xdBの絶対値を割り込む場合、呼プロセッサ502の呼リリース決定器510は、無線リンク障害を宣言し、R99 DPCHおよびF-DPCHの呼をリリースすることができる。
【００５９】
図6は、処理システム614を使用する装置600のためのハードウェア実装形態の一例を示す概念図である。本開示の様々な態様によれば、要素または要素の任意の部分または要素の任意の組合せは、1つまたは複数のプロセッサ604を含む処理システム614を用いて実装され得る。たとえば、装置600は、図1、図2、図5、および/または図7のうちのいずれか1つまたは複数に示すようなユーザ機器(UE)であってもよい。別の例では、装置600は、図1に示すような無線ネットワークコントローラ(RNC)であってもよい。プロセッサ604の例は、マイクロプロセッサ、マイクロコントローラ、デジタル信号プロセッサ(DSP)、フィールドプログラマブルゲートアレイ(FPGA)、プログラマブル論理デバイス(PLD)、状態機械、ゲート論理、ディスクリートハードウェア回路、および本開示全体にわたって説明する様々な機能を実行するように構成された他の適切なハードウェアを含む。すなわち、装置600に利用されるようなプロセッサ604は、図8〜図12に後述され、例示されるプロセスのいずれか1つまたは複数を実施するために使用することができる。
【００６０】
この例において、処理システム614は、バス602によって全体的に表されるバスアーキテクチャを用いて実現され得る。バス602は、処理システム614の特定の用途と全体的な設計制約とに応じて、任意の数の相互接続バスとブリッジとを含むことができる。バス602は、(プロセッサ604によって全体的に表される)1つまたは複数のプロセッサ、メモリ605、および(コンピュータ可読媒体606によって全体的に表される)コンピュータ可読媒体を含む、様々な回路を互いにリンクさせる。バス602は、タイミングソース、周辺機器、電圧調整器、および電力管理回路などの様々な他の回路をリンクさせることもできるが、これらの回路は当技術分野でよく知られており、したがって、これ以上は説明しない。バスインターフェース608は、バス602とトランシーバ610との間のインターフェースを与える。トランシーバ610は、伝送媒体を介して様々な他の装置と通信するための手段を実現する。装置の性質に応じて、ユーザインターフェース612(たとえば、キーパッド、ディスプレイ、スピーカー、マイクロフォン、ジョイスティック、タッチスクリーン、タッチパッド)も設けられ得る。
【００６１】
本開示の様々な態様では、プロセッサ604は、図5の呼プロセッサ502を実施するために使用され得、コンピュータ可読媒体606は、実行されると、図8〜図12に示されるような本開示にわたって記載されている様々な機能を実行するように装置600を構成し得る、呼処理ソフトウェア(たとえば、ソフトウェア503)を記憶するために使用され得る。
【００６２】
プロセッサ604は、バス602を管理することと、コンピュータ可読媒体606上に記憶されたソフトウェアの実行を含む一般的な処理とを担当する。ソフトウェアは、プロセッサ604によって実行されると、処理システム614に任意の特定の装置の以下で説明する様々な機能を実行させる。コンピュータ可読媒体606は、ソフトウェアを実行するときにプロセッサ604によって操作されるデータを記憶するためにも使用され得る。
【００６３】
処理システムの1つまたは複数のプロセッサ604は、ソフトウェアを実行することができる。ソフトウェアは、ソフトウェア、ファームウェア、ミドルウェア、マイクロコード、ハードウェア記述言語、または他のものと呼ばれるのであれ何であれ、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行ファイル、実行のスレッド、プロシージャ、機能などを意味すると幅広く解釈されるべきである。ソフトウェアは、コンピュータ可読媒体606上に常駐し得る。コンピュータ可読媒体606は、非一時的コンピュータ可読媒体であり得る。非一時的コンピュータ可読媒体は、例として、磁気記憶デバイス(たとえば、ハードディスク、フロッピー(登録商標)ディスク、磁気ストリップ)、光ディスク(たとえば、コンパクトディスク(CD)またはデジタル多用途ディスク(DVD))、スマートカード、フラッシュメモリデバイス(たとえば、カード、スティック、またはキードライブ)、ランダムアクセスメモリ(RAM)、読取り専用メモリ(ROM)、プログラマブルROM(PROM)、消去可能PROM(EPROM)、電気的消去可能PROM(EEPROM)、レジスタ、リムーバブルディスク、ならびにコンピュータがアクセスし、読み取ることができるソフトウェアおよび/または命令を記憶するための任意の他の適切な媒体を含む。コンピュータ可読媒体606は、処理システム614の中に、または処理システム614の外に常駐し得、または処理システム614を含む複数のエンティティにわたって分散され得る。コンピュータ可読媒体606は、コンピュータプログラム製品において具現化することができる。例として、コンピュータプログラム製品は、パッケージング材料内のコンピュータ可読媒体を含む場合がある。当業者は、特定の適用例およびシステム全体に課された全体的な設計制約に応じて、本開示全体にわたって提示する説明した機能をどのようにして最善の形で実装するかを認識されよう。
【００６４】
図7は、例示的なUE750と通信している例示的なノードB710のブロック図であり、ノードB710は図1のノードB108であってよく、UE750は図1のUE110であってよい。本開示の他の態様では、UE750は、図1、図2、および図5に示されるUEのいずれかでもよい。ダウンリンク通信において、送信プロセッサ720は、データ源712からデータを受信することができ、コントローラ/プロセッサ740から制御信号を受信することができる。送信プロセッサ720は、データおよび制御信号、ならびに基準信号(たとえば、パイロット信号)のための様々な信号処理機能を提供する。たとえば、送信プロセッサ720は、誤り検出のための巡回冗長検査(CRC)コード、順方向誤り訂正(FEC)を容易にするためのコーディングおよびインターリービング、様々な変調方式(たとえば、二位相偏移変調(BPSK)、四位相偏移変調(QPSK)、M位相偏移変調(M-PSK)、M直交振幅変調(M-QAM)など)に基づいた信号コンスタレーションへのマッピング、直交可変拡散率(OVSF)による拡散、および、一連のシンボルを生成するためのスクランブリングコードとの乗算を提供し得る。チャネルプロセッサ744からのチャネル推定値は、送信プロセッサ720のための符号化、変調、拡散、および/またはスクランブル方式を決定するために、コントローラ/プロセッサ740によって使用され得る。これらのチャネル推定値は、UE750によって送信される基準信号から、またはUE750からのフィードバックから、導出され得る。送信プロセッサ720によって生成されたシンボルは、フレーム構造を作成するために、送信フレームプロセッサ730に提供される。送信フレームプロセッサ730は、コントローラ/プロセッサ740からの情報でシンボルを多重化することによって、このフレーム構造を作成し、一連のフレームが得られる。次いで、これらのフレームは送信機732に与えられ、送信機732は、アンテナ734を通じたワイヤレス媒体によるダウンリンク送信のために、増幅、フィルタリング、およびフレームのキャリア上への変調を含む、様々な信号調整機能を提供する。アンテナ734は、たとえば、ビームステアリング双方向適応アンテナアレイまたは他の同様のビーム技術を含む、1つまたは複数のアンテナを含む場合がある。
【００６５】
UE750において、受信機754は、アンテナ752を通じてダウンリンク送信を受信し、その送信を処理してキャリア上に変調された情報を復元する。受信機754によって復元された情報は、受信フレームプロセッサ760に与えられ、受信フレームプロセッサ760は、各フレームをパースし、フレームからの情報をチャネルプロセッサ794に与え、データ信号、制御信号、および基準信号を受信プロセッサ770に与える。次いで、受信プロセッサ770は、ノードB710中の送信プロセッサ720によって実行される処理の逆を実行する。より詳細には、受信プロセッサ770は、シンボルを逆スクランブルおよび逆拡散し、次いで、変調方式に基づいて、ノードB710によって送信された、最も可能性の高い信号コンスタレーションポイントを求める。これらの軟判定は、チャネルプロセッサ794によって計算されたチャネル推定値に基づいている場合がある。軟判定は、次いで、データ、制御、および基準信号を回復するために、復号され、デインターリーブされる。CRCコードは、次いで、フレームが正常に復号されたかどうかを決定するためにチェックされる。次いで、正常に復号されたフレームによって搬送されたデータがデータシンク772に提供されるが、データシンク772は、UE750および/または様々なユーザインターフェース(たとえば、ディスプレイ)において実行されているアプリケーションを表す。正常に復号されたフレームによって搬送された制御信号は、コントローラ/プロセッサ790に提供される。受信プロセッサ770によるフレームの復号が失敗するとき、コントローラ/プロセッサ790は、これらのフレームの再送信要求をサポートするために、肯定応答(ACK)プロトコルおよび/または否定応答(NACK)プロトコルを使用することもできる。
【００６６】
アップリンクにおいて、データ源778からのデータ、および、コントローラ/プロセッサ790からの制御信号は、送信プロセッサ780に提供される。データ源778は、UE750および様々なユーザインターフェース(たとえば、キーボード)において実行されているアプリケーションを表し得る。ノードB710によるダウンリンク送信に関して説明した機能と同様に、送信プロセッサ780は、CRCコード、FECを容易にするためのコーディングおよびインターリービング、信号コンスタレーションへのマッピング、OVSFによる拡散、ならびに、一連のシンボルを生成するためのスクランブリングを含む、様々な信号処理機能を提供する。ノードB710によって送信される基準信号から、または、ノードB710によって送信されるミッドアンブル中に含まれるフィードバックから、チャネルプロセッサ794によって導出されるチャネル推定値が、適切なコーディング方式、変調方式、拡散方式、および/またはスクランブリング方式を選択するために使用され得る。送信プロセッサ780によって生成されるシンボルは、フレーム構造を作成するために、送信フレームプロセッサ782に提供されることになる。送信フレームプロセッサ782は、コントローラ/プロセッサ790からの情報でシンボルを多重化することによって、このフレーム構造を作成し、一連のフレームが得られる。次いで、これらのフレームは送信機756に与えられ、送信機756は、アンテナ752を通じたワイヤレス媒体によるアップリンク送信のために、増幅、フィルタリング、およびフレームのキャリア上への変調を含む、様々な信号調整機能を提供する。
【００６７】
アップリンク送信は、UE750において受信機機能に関して説明されたのと同様の方式で、ノードB710において処理される。受信機735は、アンテナ734を介してアップリンク送信を受信し、キャリア上に変調された情報を回復するために送信を処理する。受信機735によって復元された情報は、受信フレームプロセッサ736に与えられ、受信フレームプロセッサ736は、各フレームをパースし、フレームからの情報をチャネルプロセッサ744に与え、データ信号、制御信号、および基準信号を受信プロセッサ738に与える。受信プロセッサ738は、UE750中の送信プロセッサ780によって実行された処理の逆を実行する。次いで、復号に成功したフレームによって搬送されたデータ信号および制御信号が、データシンク739およびコントローラ/プロセッサにそれぞれ与えられ得る。受信プロセッサによるフレームの一部の復号が失敗すると、コントローラ/プロセッサ740はまた、確認応答(ACK)プロトコルおよび/または否定応答(NACK)プロトコルを使用して、そうしたフレームの再送信要求をサポートし得る。
【００６８】
コントローラ/プロセッサ740および790は、それぞれノードB710およびUE750における動作を指示するために使用され得る。たとえば、コントローラ/プロセッサ740および790は、タイミングと、周辺インターフェースと、電圧制御と、電力管理と、他の制御機能とを含む様々な機能を提供することができる。メモリ742および792のコンピュータ可読媒体は、それぞれ、ノードB710およびUE750のためのデータおよびソフトウェアを記憶することができる。ノードB710におけるスケジューラ/プロセッサ746は、リソースをUEに割り振り、UE用のダウンリンク送信および/またはアップリンク送信をスケジュールするために使用され得る。
【００６９】
図8は、本開示の一態様による、W-CDMAネットワーク内のUEにおいてR99 DPCHおよびF-DPCH呼のリリースを正常に扱うための手順800を示すフローチャートである。本開示の様々な態様では、手順800は、たとえば装置600を使用して実施され得る、図1、図2、図5、および図7において示されるUEのいずれかによって実行され得る。ブロック802で、UEは、UEと基地局との間のパケット交換(PS)接続または呼を確立し、PS接続は、F-DPCHを含む。たとえば、PS接続は、UE110とノードB108との間で確立されるF-DPCH呼でもよい。ブロック804で、UEは、F-DPCHのための同期のしきい値(Qin)および同期外れのしきい値(Qout)を構成する。F-DPCHのQinおよびQoutの値は、DPCHの対応するQinおよびQoutの値よりも高く設定される。一例では、F-DPCHのQinおよびQoutは、それぞれ-3dBおよび-6.50dBに設定され得る。ブロック806で、UEは、F-DPCHの1つまたは複数のTPCコマンドに基づいてDL SIRを推定する。ブロック808で、UEは、F-DPCHの推定されたSIRとQoutとの比較に基づいてPS接続または呼をリリースすべきかどうかを決定する。たとえば、UEは、PS接続または呼をリリースすべきときを決定するために、上述したように、推定されたSIRおよびQoutに基づいてOOSおよび無線リンク障害を決定することができる。
【００７０】
図9は、本開示の一態様による、W-CDMAネットワーク内のUEにおいて無線リンク障害を宣言するための手順900を示すフローチャートである。本開示の様々な態様では、手順900は、たとえば装置600を使用して実施され得る、図1、図2、図5、および図7において示されるUEのいずれかによって実行され得る。ブロック902で、所定の時間期間の間、DL SIREが第1のしきい値未満であると決定された場合、手順はブロック904に進み、さもなければ、手順は終わる。たとえば、第1のしきい値は、xdB(たとえば、6dB)でもよく、時間期間は、t秒(たとえば、約10秒)でもよい。ブロック904で、所定の時間期間の間、UEが連続的な上に向かうTPCコマンド(ワインドアップ)を送ると決定された場合、手順はブロック906に進み、さもなければ、手順は終わる。ブロック906で、UEは、無線リンク障害を宣言する。
【００７１】
図10は、本開示の一態様による、W-CDMAネットワーク内のUEにおいて無線リンク障害を宣言するための手順1000を示すフローチャートである。本開示の様々な態様では、手順1000は、たとえば装置600を使用して実施され得る、図1、図2、図5、および図7において示されるUEのいずれかによって実行され得る。ブロック1002で、所定の時間期間の間、DL SIREが第1のしきい値よりも大きい量だけSIRTよりも小さいと決定された場合、手順1000はブロック1004に進み、さもなければ、手順1000は終わる。たとえば、第1のしきい値は、xdB(たとえば、6dB)でもよく、時間期間は、t秒(たとえば、約10秒)でもよい。ブロック1004で、所定の時間期間の間、UEが連続的な上に向かうTPCコマンド(ワインドアップ)を送ると決定された場合、手順はブロック1006に進み、さもなければ、手順は終わる。ブロック1006で、UEは、無線リンク障害を宣言する。
【００７２】
図11は、本開示の一態様による、W-CDMAネットワーク内のUEにおいて無線リンク障害を宣言するための手順1100を示すフローチャートである。本開示の様々な態様では、手順1100は、たとえば装置600を使用して実施され得る、図1、図2、図5、および図7において示されるUEのいずれかによって実行され得る。ブロック1102で、所定の時間期間の間、DL SIREが第1のしきい値未満であると決定された場合、手順はブロック1104に進み、さもなければ、手順は終わる。たとえば、第1のしきい値は、xdB(たとえば、約6dB)でもよく、時間期間は、t秒(たとえば、約10秒)である。ブロック1104で、所定の時間期間の間、UEが連続的な上に向かうTPCコマンド(ワインドアップ)を送ると決定された場合、手順はブロック1106に進み、さもなければ、手順は終わる。ブロック1106で、UEによって拒否されたいくつかのDL TPCコマンドが第2のしきい値よりも大きいと決定された場合、手順はブロック1108に進み、さもなければ、手順は終わる。たとえば、第2のしきい値は、z%(たとえば、約90%)でもよい。ブロック1108で、UEは、無線リンク障害を宣言する。
【００７３】
図12は、本開示の一態様による、W-CDMAネットワーク内のUEにおいて無線リンク障害を宣言するための手順1200を示すフローチャートである。本開示の様々な態様では、手順1200は、たとえば装置600を使用して実施され得る、図1、図2、図5、および図7において示されるUEのいずれかによって実行され得る。ブロック1202で、UEによって拒否されたいくつかのDL TPCコマンドが第1のしきい値よりも大きいと決定された場合、手順はブロック1204および/または1206に進み、さもなければ、手順は終わる。第1のしきい値は、z%(たとえば、約90%)でもよい。ブロック1204で、所定の時間期間の間、SIREが第2のしきい値だけSIRTよりも小さいと決定された場合、手順はブロック1208に進み、さもなければ、手順は終わる。たとえば、第2のしきい値は、xdB(たとえば、6dB)でもよく、所定の時間期間は、t秒(たとえば、約10秒)でもよい。ブロック1206で、所定の時間期間の間、SIREが第3のしきい値未満であると決定された場合、手順はブロック1208に進む。たとえば、第3のしきい値は、ydB(たとえば、約6dB)でもよい。ブロック1208で、UEは、無線リンク障害を宣言する。
【００７４】
本開示の様々な態様では、図8〜図12に示される方法および手順は、図に示されるものとは異なる様々な順序で実行され得る。本開示のいくつかの態様では、図8〜図12に示されるステップの一部もしくは全部は、図1、図2、図5、および/または図7において示されるUEのいずれかにおいてDPCHおよびF-DPCH呼を扱うために実行され得る。
【００７５】
電気通信システムのいくつかの態様は、W-CDMAシステムを参照して示した。当業者なら容易に諒解するように、本開示全体にわたって説明する様々な態様は、他の電気通信システム、ネットワークアーキテクチャおよび通信規格に拡張され得る。
【００７６】
例として、様々な態様は、TD-SCDMAおよびTD-CDMAなどの他のUMTSシステムに拡張され得る。様々な態様は、(FDD、TDD、または両モードにおける)ロングタームエボリューション(LTE)、(FDD、TDD、または両モードにおける)LTEアドバンスト(LTE-A)、CDMA2000、エボリューションデータオプティマイズド(EV-DO)、ウルトラモバイルブロードバンド(UMB)、IEEE802.11(Wi-Fi)、IEEE802.16(WiMAX)、IEEE802.20、ウルトラワイドバンド(UWB)、Bluetooth(登録商標)を用いるシステム、および/または他の適切なシステムにも拡張され得る。用いられる実際の遠隔通信規格、ネットワークアーキテクチャ、および/または通信規格は、特定の用途と、システムに課される全体的な設計制約とに依存することになる。
【００７７】
開示した方法におけるステップの特定の順序または階層は例示的なプロセスの一例であることを理解されたい。設計の好みに基づいて、方法におけるステップの特定の順序または階層が再配置されてもよいことを理解されよう。付随の方法のクレームは、サンプルの順序で様々なステップの要素を示し、本明細書に特に定めがない限り、示された特定の順序または階層に限定されることは意味していない。
【００７８】
前述の説明は、いかなる当業者も本明細書で説明する様々な態様を実施することを可能にするように与えられる。これらの態様への様々な修正形態は、当業者に容易に明らかになり、本明細書で定義した一般的な原理は、他の態様に適用され得る。したがって、特許請求の範囲は、本明細書に示された態様に限定されるものではないが、特許請求の範囲の言い回しと一致した全範囲に一致することになり、単数形の要素の参照は、特に別段の定めがない限り「1つまたは1つだけ」を意味するものではなく、むしろ「1つまたは複数の」である。特に別段の定めがない限り、「いくつか(some)」という用語は、1つまたは複数を指す。項目のリスト「のうちの少なくとも1つ」という句は、単一のメンバーを含め、それらの項目の任意の組合せを指す。一例として、「a、b、またはcの少なくとも1つ」は、a、b、c、aおよびb、aおよびc、bおよびc、ならびにa、bおよびcを含むことが意図される。当業者に知られているまたは後で当業者に知られることになる、本開示全体にわたって説明する様々な態様の要素のすべての構造的等価物および機能的等価物は、参照により本明細書に明確に組み込まれ、特許請求の範囲によって包含されることが意図される。さらに、本明細書で開示するいかなる内容も、そのような開示が特許請求の範囲で明示的に記載されているかどうかにかかわらず、公に供することは意図されていない。請求項のいかなる要素も、「のための手段」という句を使用して要素が明示的に記載されていない限り、または方法クレームの場合に「のためのステップ」という句を使用して要素が記載されていない限り、米国特許法第112条第6項の規定に基づいて解釈されるべきではない。
【符号の説明】
【００７９】
100  ユニバーサルモバイルテレコミュニケーションシステム(UMTS)システム
102  UMTS地上波無線アクセスネットワーク(UTRAN)
104  コアネットワーク
106  無線ネットワークコントローラ(RNC)
107  無線ネットワークサブシステム(RNS)
108  ノードB
110  ユーザ機器(UE)
111  汎用加入者識別モジュール(USIM)
112  MSC
114  GMSC
115  ホームロケーションレジスタ(HLR)
118  サービングGPRSサポートノード(SGSN)
120  ゲートウェイGPRSサポートノード(GGSN)
122  ネットワーク
200  RAN
202  セル
204  セル
206  セル
212  アンテナグループ
214  アンテナグループ
216  アンテナグループ
218  アンテナグループ
220  アンテナグループ
222  アンテナグループ
224  アンテナグループ
226  アンテナグループ
228  アンテナグループ
230  UE
232  UE
234  UE
236  UE
238  UE
240  UE
242  ノードB
244  ノードB
246  ノードB
300  F-DPCH
302  パイロット
406  物理レイヤ
408  レイヤ2
410  媒体アクセス制御(MAC)サブレイヤ
412  無線リンク制御(RLC)サブレイヤ
414  パケットデータコンバージェンスプロトコル(PDCP)サブレイヤ
416  RRCレイヤ
500  UE
502  呼プロセッサ
503  ソフトウェア
504  呼確立器
506  チャネルパラメータ構成器
508  SIR推定器
510  呼リリース決定器
600  装置
602  バス
604  プロセッサ
605  メモリ
606  コンピュータ可読媒体
608  バスインターフェース
610  トランシーバ
612  ユーザインターフェース
614  処理システム
710  ノードB
712  データ源
720  送信プロセッサ
730  送信フレームプロセッサ
732  送信機
734  アンテナ
735  受信機
736  受信フレームプロセッサ
738  受信プロセッサ
739  データシンク
740  コントローラ/プロセッサ
742  メモリ
744  チャネルプロセッサ
746  スケジューラ/プロセッサ
750  UE
752  アンテナ
754  受信機
756  送信機
760  受信フレームプロセッサ
770  受信プロセッサ
772  データシンク
778  データ源
780  送信プロセッサ
782  送信フレームプロセッサ
790  コントローラ/プロセッサ
792  メモリ
794  チャネルプロセッサ
【図１】
0006453346.tif 000002
【図２】
0006453346.tif 000003
【図３】
0006453346.tif 000004
【図４】
0006453346.tif 000005
【図５】
0006453346.tif 000006
【図６】
0006453346.tif 000007
【図７】
0006453346.tif 000008
【図８】
0006453346.tif 000009
【図９】
0006453346.tif 000010
【図１０】
0006453346.tif 000011
【図１１】
0006453346.tif 000012
【図１２】
0006453346.tif 000013